(57)【特許請求の範囲】
【請求項１】
一方の接続対象物に接触する接触部と、他方の接続対象物に接続される接続部と、前記接触部と前記接続部とを連結する連結部とを有する複数のコンタクトと、
前記複数のコンタクトを保持するハウジングと
を備えているコネクタにおいて、
前記コンタクトは、前記ハウジングに圧入される圧入部を有し、
前記ハウジングは、前記コンタクトの接触部側部分が配置される第１ハウジング部材と、
この第１ハウジング部材に組み付けられ、前記コンタクトの接続部側部分が配置される第２ハウジング部材とを有し、
前記コンタクトの連結部に、前記第１、第２ハウジング部材を組み付けたとき前記第２ハウジング部材に突き当たる抜止め部が形成されており、
前記複数のコンタクトのうちの一部のコンタクトの前記抜止め部は、前記コンタクトの連結部の一部をクランク状に折り曲げたクランク状部分であり、
前記複数のコンタクトのうちの残りのコンタクトの前記抜止め部は、前記コンタクトの連結部の幅方向へ突出する突出部分であり、
前記一部のコンタクトと前記残りのコンタクトとがコンタクト配列方向に沿って交互に並んで少なくとも１つのコンタクト群を構成し、
前記コンタクト群において前記一部のコンタクトの接触部と前記残りのコンタクトの接触部とが前記コンタクト配列方向に沿って交互に一列に並び、
前記コンタクト群において前記一部のコンタクトの接続部が前記コンタクト配列方向に沿って一列に並び、
前記コンタクト群において前記残りのコンタクトの接続部が前記コンタクト配列方向に沿って一列に並び、
前記コンタクト群において前記一部のコンタクトの接続部の列と前記残りのコンタクトの接続部の列とが互いに平行である
ことを特徴とするコネクタ。
【発明の詳細な説明】
【技術分野】
【０００１】
この発明はコネクタに関する。
【背景技術】
【０００２】
従来、コネクタハウジングと複数の圧入端子とを備えるコネクタが知られている（下記特許文献１参照）。
【０００３】
コネクタハウジングには複数の端子圧入孔が形成されている。
【０００４】
圧入端子は細長い板状であり、金属板を打ち抜いて形成されたものである。圧入端子の先端部にはコンタクト部が形成され、後端部には接続部が形成され、中間部には固定部が形成されている。固定部には複数の抜止用突起が形成されている。
【０００５】
圧入端子をコネクタハウジングの端子圧入孔に圧入すると、固定部の抜止用突起は端子圧入孔の内周面に食い込み、圧入端子がコネクタハウジングに固定される。
【特許文献１】特開２００５−１３５７９４号公報
【発明の開示】
【発明が解決しようとする課題】
【０００６】
上述のコネクタでは、圧入端子の抜止用突起をコネクタハウジングの端子圧入孔に圧入することによって圧入端子をコネクタハウジングに固定させているが、圧入端子が引っ張られたとき、圧入端子が抜ける虞がある。圧入端子の抜けを防止するには抜止用突起の圧入力を大きくすればよいが、圧入力を大きくすると、圧入端子の固定強度は確保されるが、圧入端子の圧入作業が難しくなるとともに、圧入端子が変形（座屈等）する虞がある。
【０００７】
この発明はこのような事情に鑑みてなされたもので、その課題はコンタクトの圧入力を大きくせずにコンタクトの抜けを防止することができるコネクタを提供することである。
【課題を解決するための手段】
【０００８】
前述の課題を解決するため請求項１の発明のコネクタは、一方の接続対象物に接触する接触部と、他方の接続対象物に接続される接続部と、前記接触部と前記接続部とを連結する連結部とを有する複数のコンタクトと、前記複数のコンタクトを保持するハウジングとを備えているコネクタにおいて、前記コンタクトは、前記ハウジングに圧入される圧入部を有し、前記ハウジングは、前記コンタクトの接触部側部分が配置される第１ハウジング部材と、この第１ハウジング部材に組み付けられ、前記コンタクトの接続部側部分が配置される第２ハウジング部材とを有し、前記コンタクトの連結部に、前記第１、第２ハウジング部材を組み付けたとき前記第２ハウジング部材に突き当たる抜止め部が形成されており、前記複数のコンタクトのうちの一部のコンタクトの前記抜止め部は、前記コンタクトの連結部の一部をクランク状に折り曲げたクランク状部分であり、前記複数のコンタクトのうちの残りのコンタクトの前記抜止め部は、前記コンタクトの連結部の幅方向へ突出する突出部分であり、前記一部のコンタクトと前記残りのコンタクトとがコンタクト配列方向に沿って交互に並んで少なくとも１つのコンタクト群を構成し、前記コンタクト群において前記一部のコンタクトの接触部と前記残りのコンタクトの接触部とが前記コンタクト配列方向に沿って交互に一列に並び、前記コンタクト群において前記一部のコンタクトの接続部が前記コンタクト配列方向に沿って一列に並び、前記コンタクト群において前記残りのコンタクトの接続部が前記コンタクト配列方向に沿って一列に並び、前記コンタクト群において前記一部のコンタクトの接続部の列と前記残りのコンタクトの接続部の列とが互いに平行であることを特徴とする。
【０００９】
第１、第２ハウジング部材を組み付けたとき、コンタクトの連結部の抜止め部が第２ハウジング部材に突き当たるので、コンタクトが引っ張られたとき、コンタクトがハウジングから抜けにくい。
【発明の効果】
【００１４】
この発明によれば、コンタクトの圧入力を大きくせずにコンタクトの抜けを防止することができる。
【発明を実施するための最良の形態】
【００１５】
以下、この発明の実施の形態を図面に基づいて説明する。
【００１６】
図１はこの発明の一実施形態のコネクタを斜め前方から見た状態を示す斜視図、図２は図１に示すコネクタを斜め後方から見た状態を示す斜視図、図３は図１に示すコネクタの正面図、図４は図３のIV−IV線に沿う断面図、図５は図４のＡ部の拡大図、図６は図３のVI−VI線に沿う断面図、図７は図６のＢ部、Ｂ´部の拡大図、図８は図３のVIII−VIII線に沿う断面図、図９は図８のＣ部の拡大図、図１０は図１に示すコネクタの第１のコンタクトの斜視図、図１１は図１に示すコネクタの第２のコンタクトの斜視図、図１２は図１に示すコネクタの第３のコンタクトの斜視図、図１３は図１に示すコネクタの第４のコンタクトの斜視図、図１４は図１に示すコネクタのフロントハウジングの斜視図、図１５は図１４に示すフロントハウジングの背面図、図１６は図１に示すコネクタのリヤハウジングの斜視図、図１７は図１６に示すリヤハウジング正面図である。
【００１７】
図１、図２に示すように、コネクタ１は複数の第１のコンタクト３Ａと複数の第２のコンタクト３Ｂと複数の第３のコンタクト４Ａと複数の第４のコンタクト４Ｂと複数の電源用のコンタクト５とハウジング７とを備える。
【００１８】
図６、図７、図１０に示すように、第１のコンタクト３Ａは接触部３１Ａと接続部３２Ａと連結部３３Ａとを有する。接触部３１Ａは図示しない相手側コネクタ（一方の接続対象物）のコンタクトに接触する。接触部３１Ａは後述する保持溝７１２ａ又は保持溝７１３ｂに保持される。接続部３２Ａは図示しないケーブル（他方の接続対象物）を介して図示しない電子機器等に接続される。接続部３２Ａにはケーブルが半田付される。接続部３２Ａは後述する保持溝７２１ａ又は保持溝７２７ａに保持される。連結部３３Ａは接触部３１Ａと接続部３２Ａとを連結する。連結部３３Ａは後述する挿入孔７１１ａ又は挿入孔７１１ｄに挿入される。連結部３３Ａにはクランク状部分（抜止め部）３３Ａａが形成されている。クランク状部分３３Ａａは後述するリヤハウジング７２の正面７２ｐに突き当たる。これにより、第１のコンタクト３Ａのハウジング７からの抜止めが可能になる。また、連結部３３Ａには４つの突出片（圧入部）３３Ａｃと１つの凸部３３Ａｄが形成されている。突出片３３Ａｃは挿入孔７１１ａ又は挿入孔７１１ｄに圧入される。これにより、第１のコンタクト３Ａはフロントハウジング７１に固定される。凸部３３Ａｄは、連結部３３Ａが挿入孔７１１ａ又は挿入孔７１１ｄに挿入されたとき、連結部３３Ａがハウジング７の高さ方向Ｈ（図３参照）へぐらつかないようにするためのものである。
【００１９】
図４、図５、図１１に示すように、第２のコンタクト３Ｂは接触部３１Ｂと接続部３２Ｂと連結部３３Ｂとを有する。接触部３１Ｂは相手側コネクタのコンタクトに接触する。接触部３１Ｂは後述する保持溝７１２ｂ又は保持溝７１３ａに保持される。接続部３２Ｂはケーブル（他方の接続対象物）を介して電子機器等に接続される。接続部３２Ｂにはケーブルが半田付される。接続部３２Ｂは後述する保持溝７２４ａ又は保持溝７２４ｂに保持される。連結部３３Ｂは接触部３１Ｂと接続部３２Ｂとを連結する。連結部３３Ｂは後述する挿入孔７１１ｂ，７２ｃ又は挿入孔７１１ｃ，７２ｄに挿入される。連結部３３Ｂにはクランク状部分（抜止め部）３３Ｂａが形成されている。クランク部３３Ｂａはリヤハウジング７２の正面７２ｐに突き当たる。これにより、第２のコンタクト３Ｂのハウジング７からの抜け止めが可能になる。また、連結部３３Ｂには４つの突出片（圧入部）３３Ｂｃと１つの凸部３３Ｂｄが形成されている。突出片３３Ｂｃは挿入孔７１１ｂ又は挿入孔７１１ｃに圧入される。これにより、第２のコンタクト３Ｂはフロントハウジング７１に固定される。凸部３３Ｂｄは、連結部３３Ｂが挿入孔７１１ｂ又は挿入孔７１１ｃに挿入されたとき、連結部３３Ｂがハウジング７の高さ方向Ｈ（図３参照）へぐらつかないようにするためのものである。
【００２０】
コンタクト３Ａとコンタクト３Ｂとは同様の構成であるが、異なる点は次の通りである。連結部３３Ａよりも連結部３３Ｂの方が長い。クランク状部分３３Ａａは連結部３３Ａの接続部側端部に位置するが、クランク状部分３３Ｂａは連結部３３Ｂの中間部に位置する。但し、コネクタ１の相手側コネクタに対する嵌合離脱方向ＤＦ（図８参照）におけるクランク状部分３３Ａａ，３３Ｂａの位置は同じである。
【００２１】
図４、図１２に示すように、第３のコンタクト４Ａは接触部４１Ａと接続部４２Ａと連結部４３Ａとを有する。接触部４１Ａは相手側コネクタのコンタクトに接触する。接触部４１Ａは保持溝７１２ａ又は保持溝７１３ｂに保持される。接続部４２Ａはケーブル（他方の接続対象物）を介して電子機器等に接続される。接続部４２Ａにはケーブルが半田付される。接続部４２Ａは後述する保持溝７２２ａ又は保持溝７２６ａに保持される。連結部４３Ａは接触部４１Ａと接続部４２Ａとを連結する。連結部４３Ａは挿入孔７１１ａ，７２ａ又は挿入孔７１１ｄ，７２ｆに挿入される。連結部４３Ａには一対の突出部分（抜止め部）４３Ａａが形成されている。突出部分４３Ａａは傾斜面４３Ａｂ（図８、９参照）を有する。突出部分４３Ａａはリヤハウジング７２の誘い面７２ｎに突き当たる。これにより、第３のコンタクト４Ａのハウジング７からの抜止めが行われている。また、連結部４３Ａには４つの突出片（圧入部）４３Ａｃと１つの凸部４３Ａｄとが形成されている。突出片４３Ａｃは挿入孔７１１ａ又は挿入孔７１１ｄに圧入される。これにより、第３のコンタクト４Ａはフロントハウジング７１に固定される。凸部４３Ａｄは連結部４３Ａが挿入孔７１１ａ又は挿入孔７１１ｄに挿入されたとき、連結部４３Ａがハウジング７の高さ方向Ｈへぐらつかないようにするためのものである。
【００２２】
図６、図１３に示すように、第４のコンタクト４Ｂは接触部４１Ｂと接続部４２Ｂと連結部４３Ｂとを有する。接触部４１Ｂは相手側コネクタのコンタクトに接触する。接触部４１Ｂは保持溝７１２ｂ又は保持溝７１３ａに保持される。接続部４２Ｂはケーブル（他方の接続対象物）を介して電子機器等に接続される。接続部４２Ｂにはケーブルが半田付される。接続部４２Ｂは保持溝７２３ａ又は保持溝７２５ａに保持される。連結部４３Ｂは接触部４１Ｂと接続部４２Ｂとを連結する。連結部４３Ｂは挿入孔７１１ｂ，７２ｂ又は挿入孔７１１ｃ，７２ｅに挿入される。連結部４３Ｂには一対の突出部分（抜止め部）４３Ｂａが形成されている。突出部分４３Ｂａは傾斜面４３Ｂｂを有する。突出部分４３Ｂａはリヤハウジング７２の誘い面７２ｎに突き当たる。これにより、第４のコンタクト４Ｂのハウジング７からの抜止めが可能になる。また、連結部４３Ｂには４つの突出片（圧入部）４３Ｂｃと１つの凸部４３Ｂｄが形成されている。突出片４３Ｂｃは挿入孔７１１ｂ又は挿入孔７１１ｃに圧入される。これにより、第４のコンタクト４Ｂはフロントハウジング７１に固定される。凸部４３Ｂｄは連結部４３Ｂが挿入孔７１１ｂ又は挿入孔７１１ｃに挿入されたとき、連結部４３Ｂがハウジング７の高さ方向Ｈ（図３参照）へぐらつかないようにするためのものである。
【００２３】
コンタクト４Ａとコンタクト４Ｂとは同様の構成であるが、異なる点は次の通りである。連結部４３Ａよりも連結部４３Ｂの方が長い。但し、コネクタ１の相手側コネクタに対する嵌合離脱方向ＤＦ（図８参照）における突出部分４３Ａａ，４３Ｂａの位置は同じである。
【００２４】
コンタクト５は電源用のコンタクトであり、多く電流を流せるようにするためにその断面積を大きく取ってある。
【００２５】
図１、図２、図４、図６に示すように、ハウジング７はフロントハウジング（第１ハウジング部材）７１とリヤハウジング（第２ハウジング部材）７２とで構成されている。
【００２６】
フロントハウジング７１はフロントハウジング本体７１１と２つの保持部７１２，７１３と１対の連結部７１４，７１４´とを有する。
【００２７】
フロントハウジング本体７１１の前部には図４、図６に示すように複数の挿入孔７１１ａ，７１１ｂ，７１１ｃ，７１１ｄが形成され、それらの最上段に複数の挿入孔７１１ａが位置し、コンタクト配列方向ＤＣに沿って等間隔に配置されている。複数の挿入孔７１１ｂは複数の挿入孔７１１ａの下段に位置し、コンタクト配列方向ＤＣに沿って等間隔に配置されている。複数の挿入孔７１１ｃは複数の挿入孔７１１ｂの下段に位置し、コンタクト配列方向ＤＣに沿って等間隔に配置されている。複数の挿入孔７１１ｄはフロントハウジング本体７１１の最下段に位置し、コンタクト配列方向ＤＣに沿って等間隔に配置されている。挿入孔７１１ａ〜７１１ｄは嵌合離脱方向ＤＦへ延びている。
【００２８】
複数の挿入孔７１１ａにはコンタクト３Ａ，４Ａの連結部３３Ａ，４３Ａの前部がコンタクト配列方向ＤＣへ交互に並ぶように挿入される。複数の挿入孔７１１ｂにはコンタクト３Ｂ，４Ｂの連結部３３Ｂ，４３Ｂの前部がコンタクト配列方向ＤＣへ交互に並ぶように挿入される。複数の挿入孔７１１ｃにはコンタクト３Ｂ，４Ｂの連結部３３Ｂ，４３Ｂの前部がコンタクト配列方向ＤＣへ交互に並ぶように挿入される。複数の挿入孔７１１ｄにはコンタクト３Ａ，４Ａの連結部３３Ａ，４３Ａの前部がコンタクト配列方向ＤＣへ交互に並ぶように挿入される。
【００２９】
フロントハウジング本体７１１の後部には４つの配置空間７１１ｅ，７１１ｆ，７１１ｇ，７１１ｈが形成されている（図１４参照）。それらの最上段に配置空間７１１ｅは位置し、コンタクト配列方向ＤＣへ延びている。配置空間７１１ｅは複数の挿入孔７１１ａに通じている。配置空間７１１ｅはフロントハウジング本体７１１の後方へ開口している。配置空間７１１ｆは配置空間７１１ｅの下段に位置し、コンタクト配列方向ＤＣへ延びている。配置空間７１１ｆは複数の挿入孔７１１ｂに通じている。配置空間７１１ｆはフロントハウジング本体７１１の後方へ開口している。配置空間７１１ｇは配置空間７１１ｆの下段に位置し、コンタクト配列方向ＤＣへ延びている。配置空間７１１ｇは複数の挿入孔７１１ｃに通じている。配置空間７１１ｇはフロントハウジング本体７１１の後方へ開口している。配置空間７１１ｈは配置空間７１１ｇの下段にあって４つの配置空間の最下段に位置し、コンタクト配列方向ＤＣへ延びている。配置空間７１１ｈは複数の挿入孔７１１ｄに通じている。配置空間７１１ｈはフロントハウジング本体７１１の後方へ開口している。
【００３０】
配置空間７１１ｅにはコンタクト３Ａ，４Ａの連結部３３Ａ，４３Ａの後部がコンタクト配列方向ＤＣへ交互に配置される。配置空間７１１ｆにはコンタクト３Ｂ，４Ｂの連結部３３Ｂ，４３Ｂの後部がコンタクト配列方向ＤＣへ交互に配置される。配置空間７１１ｇにはコンタクト３Ｂ，４Ｂの連結部３３Ｂ，４３Ｂの後部がコンタクト配列方向ＤＣへ交互に配置される。配置空間７１１ｈにはコンタクト３Ａ，４Ａの連結部３３Ａ，４３Ａの後部がコンタクト配列方向ＤＣへ交互に配置される。
【００３１】
フロントハウジング本体７１１の両側部にはそれぞれ挿入孔７１１ｉが形成されている（図１４、図１５参照）。ハウジング７の高さ方向Ｈにおける挿入孔７１１ｉの位置は配置空間７１１ｆの位置とほぼ同じである。挿入孔７１１ｉにはコンタクト５が挿入される（図１９参照）。
【００３２】
フロントハウジング本体７１１の両側部には、それぞれ挿入孔７１１ｊが形成されている（図１４、図１５参照）。挿入孔７１１ｊは挿入孔７１１ｉの下方に位置する。ハウジング７の高さ方向Ｈにおける挿入孔７１１ｊの位置は配置空間７１１ｇの位置とほぼ同じである。挿入孔７１１ｊにはコンタクト５（図１９参照）が挿入される。
【００３３】
フロントハウジング本体７１１の後端部には凹部７１１ｋが形成されている（図１４、図１５参照）。凹部７１１ｋはリヤハウジング７２の先端部を受容する。
【００３４】
保持部７１２はほぼ板状で、フロントハウジング本体７１１の前部に設けられている（図１参照）。保持部７１２の上面には複数の保持溝７１２ａがコンタクト配列方向ＤＣに沿って等間隔に形成されている（図３参照）。保持溝７１２ａは嵌合離脱方向ＤＦへ延び、挿入孔７１１ａに通じている。保持部７１２の下面には複数の保持溝７１２ｂがコンタクト配列方向ＤＣに沿って等間隔に形成されている（図３参照）。保持溝７１２ｂは嵌合離脱方向ＤＦへ延び、挿入孔７１１ｂに通じている。複数の保持溝７１２ａにはコンタクト３Ａ，４Ａの接触部３１Ａ，４１Ａがコンタクト配列方向ＤＣへ交互に並ぶように位置決めされる。複数の保持溝７１２ｂにはコンタクト３Ｂ，４Ｂの接触部３１Ｂ，４１Ｂがコンタクト配列方向ＤＣへ交互に位置決めされる。
【００３５】
保持部７１３はほぼ板状で、フロントハウジング本体７１１の前部に設けられている。保持部７１３の上面には複数の保持溝７１３ａがコンタクト配列方向ＤＣに沿って等間隔に形成されている（図３参照）。保持溝７１３ａは嵌合離脱方向ＤＦへ延び、挿入孔７１１ｃに通じている。保持部７１３の下面には複数の保持溝７１３ｂがコンタクト配列方向ＤＣに沿って等間隔に形成されている（図３参照）。保持溝７１３ｂは嵌合離脱方向ＤＦへ延び、挿入孔７１１ｄに通じている。複数の保持溝７１３ａにはコンタクト３Ｂ，４Ｂの接触部３１Ｂ，４１Ｂがコンタクト配列方向ＤＣへ交互に位置決めされる。複数の保持溝７１３ｂにはコンタクト３Ａ，４Ａの接触部３１Ａ，４１Ａがコンタクト配列方向ＤＣへ交互に位置決めされる。
【００３６】
一対の連結部７１４，７１４´はフロントハウジング本体７１１の後部に連結され、互いに対向している（図１４参照）。
【００３７】
連結部７１４は柱状部７１４ａとロック部（第１ロック部）７１４ｂとキー７１４ｃと３つの突起７１４ｄと押え部７１４ｅとを有する。柱状部７１４ａはフロントハウジング本体７１１の後部に連結されている。ロック部７１４ｂはほぼ枠状で、柱状部７１４ａの後部に結合されている。キー７１４ｃは角柱状であり、嵌合離脱方向ＤＦへ延び、柱状部７１４ａの内側中央部に位置している。３つの突起７１４ｄはほぼ半円柱状であり、柱状部７１４ａ及びキー７１４ｃの内側面に形成され、嵌合離脱方向へ延びている。押え部７１４ｅは角柱状であり、嵌合離脱方向ＤＦへ延び、柱状部７１４ａの内側上部に位置している。
【００３８】
連結部７１４´は柱状部７１４ａとロック部７１４ｂとキー７１４ｃと３つの突起７１４ｄと押え部７１４ｅとを有し、これらは連結部７１４の柱状部７１４ａとロック部７１４ｂとキー７１４ｃと３つの突起７１４ｄと押え部７１４ｅと同様であるので、その説明を省略する。
【００３９】
リヤハウジング７２はほぼ階段状であり（図２、図６参照）、第１段部７２１と第２段部７２２と第３段部７２３と中央段部７２４と第５段部７２５と第６段部７２６と第７段部７２７とを有する。
【００４０】
第１段部７２１はリヤハウジング７２の最上部に位置している。第１段部７２１の上面には複数の保持溝７２１ａがコンタクト配列方向ＤＣに沿って等間隔に形成されている（図１６参照）。保持溝７２１ａは嵌合離脱方向ＤＦへ延びている。保持溝７２１ａにはコンタクト３Ａの接続部３２Ａが位置決めされる（図６参照）。
【００４１】
第２段部７２２は第１段部７２１の下方に位置している。第２段部７２２の上面には複数の保持溝７２２ａがコンタクト配列方向ＤＣに沿って等間隔に形成されている。保持溝７２２ａは嵌合離脱方向ＤＦへ延びている。保持溝７２２ａにはコンタクト４Ａの接続部４２Ａが位置決めされる（図４参照）。
【００４２】
第３段部７２３は第２段部７２２の下方に位置している。第３段部７２３の上面には複数の保持溝７２３ａがコンタクト配列方向ＤＣに沿って等間隔に形成されている。保持溝７２３ａは嵌合離脱方向ＤＦへ延びている。保持溝７２３ａにはコンタクト４Ｂの接続部４２Ｂが位置決めされる（図６参照）。
【００４３】
中央段部７２４はリヤハウジング７２の高さ方向の中間部に位置している。中央段部７２４の上面には複数の保持溝７２４ａがコンタクト配列方向ＤＣに沿って等間隔に形成されて、中央段部７２４の下面には複数の保持溝７２４ｂがコンタクト配列方向ＤＣに沿って等間隔に形成されている。保持溝７２４ａ，７２４ｂは嵌合離脱方向ＤＦへ延びている。保持溝７２４ａ，７２４ｂにはそれぞれコンタクト３Ｂの接続部３２Ｂが位置決めされる（図４参照）。
【００４４】
第５段部７２５は中央段部７２４の下方に位置している。第５段部７２５の下面には複数の保持溝７２５ａがコンタクト配列方向ＤＣに沿って等間隔に形成されている。保持溝７２５ａは嵌合離脱方向ＤＦへ延びている。保持溝７２５ａにはコンタクト４Ｂの接続部４２Ｂが位置決めされる（図６参照）。
【００４５】
第６段部７２６は第５段部７２５の下方に位置している。第６段部７２６の下面には複数の保持溝７２６ａがコンタクト配列方向ＤＣに沿って等間隔に形成されている。保持溝７２６ａは嵌合離脱方向ＤＦへ延びている。保持溝７２６ａにはコンタクト４Ａの接続部４２Ａが位置決めされる（図４参照）。
【００４６】
第７段部７２７は第６段部７２６の下方に位置している。第７段部７２７の下面には複数の保持溝７２７ａがコンタクト配列方向ＤＣに沿って等間隔に形成されている。保持溝７２７ａは嵌合離脱方向ＤＦへ延びている。保持溝７２７ａにはコンタクト３Ａの接続部３２Ａが位置決めされる（図６参照）。
【００４７】
リヤハウジング７２の前部には複数の挿入孔７２ａ，７２ｂ，７２ｃ，７２ｄ，７２ｅ，７２ｆ，７２ｉ，７２ｊが形成されている（図１６参照）。
【００４８】
複数の挿入孔７２ａはリヤハウジングの複数の挿入孔の中で最上段に位置し、コンタクト配列方向ＤＣに沿って等間隔に配置されている。挿入孔７２ａは嵌合離脱方向ＤＦへ延び、その延長線上に保持溝７２２ａ及び挿入孔７１１ａが位置する（図４参照）。
【００４９】
複数の挿入孔７２ｂは複数の挿入孔７２ａの下段に位置し、コンタクト配列方向ＤＣに沿って等間隔に配置されている。挿入孔７２ｂは嵌合離脱方向ＤＦへ延び、その延長線上に保持溝７２３ａ及び挿入孔７１１ｂが位置する（図６参照）。
【００５０】
複数の挿入孔７２ｃは複数の挿入孔７２ｂの下段に位置し、コンタクト配列方向ＤＣに沿って等間隔に配置されている。挿入孔７２ｃは嵌合離脱方向ＤＦへ延び、その延長線上に保持溝７２４ａが位置する（図４参照）。
【００５１】
複数の挿入孔７２ｄは複数の挿入孔７２ｃの下段に位置し、コンタクト配列方向ＤＣに沿って等間隔に配置されている。挿入孔７２ｄは嵌合離脱方向ＤＦへ延び、その延長線上に保持溝７２４ｂが位置する（図４参照）。
【００５２】
複数の挿入孔７２ｅは複数の挿入孔７２ｄの下段に位置し、コンタクト配列方向ＤＣに沿って等間隔に配置されている。挿入孔７２ｅは嵌合離脱方向ＤＦへ延び、その延長線上に保持溝７２５ａ及び挿入孔７１１ｃが位置する（図６参照）。
【００５３】
複数の挿入孔７２ｆは複数の挿入孔７２ｅの下段に位置し、コンタクト配列方向ＤＣに沿って等間隔に配置されている。挿入孔７２ｆは嵌合離脱方向ＤＦへ延び、その延長線上に保持溝７２６ａ及び挿入孔７１１ｄが位置する（図４参照）。
【００５４】
リヤハウジング７２の両側部には挿入孔７２ｉ，７２ｊが形成されている。挿入孔７２ｉはフロントハウジング７１の挿入孔７１１ｉに対向し、挿入孔７２ｊはフロントハウジング７１の挿入孔７１１ｊに対向する。挿入孔７２ｉ，７２ｊにはそれぞれコンタクト５が挿入される。
【００５５】
リヤハウジング７２の両側面にはキー溝７２ｋと突起（第２ロック部）７２ｍが形成されている（図１６参照）。キー溝７２ｋは嵌合離脱方向ＤＦへ延び、フロントハウジング７１とリヤハウジング７２とが嵌合するとき（組み付けられるとき）、フロントハウジング７１のキー７１４ｃを嵌合離脱方向ＤＦへガイドする。突起７２ｍはフロントハウジング７１とリヤハウジング７２とが嵌合したとき、ロック部７１４ｂに係合する。
【００５６】
すべての挿入孔７２ａ，７２ｂ，７２ｃ，７２ｄ，７２ｅ，７２ｆの前端部には誘い面７２ｎが形成されている（図５、図９参照）。誘い面７２ｎによって四角錐台状の空間が形成される。
【００５７】
図１８は図１に示すコネクタを斜め前方から見た状態を示す分解斜視図、図１９は図１に示すコネクタを斜め後方から見た状態を示す分解斜視図である。
【００５８】
次に、このコネクタ１の組立手順について説明する。
【００５９】
まず、それぞれ図示しないキャリアによって一体化された複数のコンタクト３Ａ，３Ｂ，４Ａ，４Ｂ，５をそれぞれ対応するフロントハウジング７１の挿入孔７１１ａ，７１１ｂ，７１１ｃ，７１１ｄ，７１１ｉ，７１１ｊに挿入する。このとき、コンタクト３Ａの突出片３３Ａｃが挿入孔７１１ａ又は挿入孔７１１ｄに圧入され、コンタクト３Ｂの突出片３３Ｂｃが挿入孔７１１ｂ又は挿入孔７１１ｃに圧入され、コンタクト４Ａの突出片４３Ａｃが挿入孔７１１ａ又は挿入孔７１１ｄに圧入され、コンタクト４Ｂの突出片４３Ｂｃが挿入孔７１１ｂ又は挿入孔７１１ｃに圧入される。その結果、コンタクト３Ａ，３Ｂ，４Ａ，４Ｂはフロントハウジングに固定される。
【００６０】
次に、キャリアをコンタクト３Ａ，３Ｂ，４Ａ，４Ｂ，５から切り離す。
【００６１】
その後、コンタクト３Ａの接続部３２Ａをリヤハウジング７２の保持溝７２１ａ，７２７ａに挿入するとともに、コンタクト３Ｂ，４Ａ，４Ｂの接続部３２Ｂ，４２Ａ，４２Ｂをそれぞれリヤハウジング７２の挿入孔７２ｃ，７２ｄ，７２ａ，７２ｆ，７２ｂ，７２ｅに通す。このとき、誘い面７２ｎによって接続部３２Ｂ，４２Ａ，４２Ｂをそれぞれ挿入孔７２ｃ，７２ｄ，７２ａ，７２ｆ，７２ｂ，７２ｅに容易に通すことができる。
【００６２】
また、このとき同時に、コンタクト５の後部をリヤハウジング７２の挿入孔７２ｉ，７２ｊに通す。
【００６３】
次に、フロントハウジング７１とリヤハウジング７２とを嵌合させる。このとき、フロントハウジング７１のキー７１４ｃはリヤハウジング７２のキー溝７２ｋによって相対的にガイドされ、リヤハウジング７２の先端部がフロントハウジング７１の凹部７１１ｋに嵌合する。また、このとき、コンタクト４Ａ，４Ｂの突出部分４３Ａａ，４３Ｂａの傾斜面４３Ａｂ，４３Ｂｂと誘い面７２ｎとが係合し、突出部分４３Ａａ，４３Ｂａが確実に所定位置に配置される（図９参照）。
【００６４】
フロントハウジング７１とリヤハウジング７２とが完全に嵌合すると、フロントハウジング７１のロック部７１４ｂにリヤハウジング７２の突起７２ｍが係合し、フロントハウジング７１にリヤハウジング７２がロックされる。リヤハウジング７２がフロントハウジング７１にロックされているとき、フロントハウジング７１の突起７１４ｄはリヤハウジング７２の側面に圧接し、また、フロントハウジング７１の押え部７１４ｅがリヤハウジング７２の第１段部７２１の上面を押えるので、リヤハウジング７２ががたつくことがない。
【００６５】
リヤハウジング７２がフロントハウジング７１にロックされると、コンタクト３Ａ，３Ｂのクランク状部分３３Ａａ，３３Ｂａとコンタクト４Ａ，４Ｂの突出部分４３Ａｂ，４３Ｂｂとがフロントハウジング７１の背面７１１ｍとリヤハウジング７２の正面７２ｐとの間に位置するとともに、コンタクト３Ａ，３Ｂのクランク状部分３３Ａａ，３３Ｂａがリヤハウジング７２の正面７２ｐに突き当たり、コンタクト４Ａ，４Ｂの突出部分４３Ａａ，４３Ｂａの傾斜面４３Ａｂ，４３Ｂｂがリヤハウジング７２の誘い面７２ｎに突き当たる。（図５、図７、図９参照）。
【００６６】
したがって、図４、図６の矢印で示すように、コンタクト３Ａ，３Ｂ，４Ａ，４Ｂの接続部３２Ａ，３２Ｂ，４２Ａ，４２Ｂに引抜力が作用しても、コンタクト３Ａ，３Ｂ，４Ａ，４Ｂがハウジング７から容易に抜けない。
【００６７】
また、フロントハウジング７１はロック部７１４ｂを有し、リヤハウジング７２はロック部７１４ｂに係合する突起７２ｍを有しているので、フロントハウジング７１とリヤハウジング７２との結合状態を維持するための特別な部品が不要である。
【００６８】
更に、リヤハウジング７２に誘い面７２ｎを形成したので、コンタクト３Ｂ，４Ａ，４Ｂの接続部３２Ｂ，４２Ａ，４２Ｂをそれぞれ挿入孔７２ｃ，７２ｄ，７２ａ，７２ｆ，７２ｂ，７２ｅに容易に通すことができ、コネクタ１を容易に組み立てることができる。
【００６９】
また、誘い面７２ｎによって四角錐台状の空間が形成されるので、リヤハウジング７２の金型成型時に金型に樹脂を充填し易い。また、金型に樹脂を充填しやすいので、コンタクトの配列ピッチを狭くし、狭ピッチ化を達成できる。
【００７０】
この実施形態では、コンタクト３Ａ，３Ｂ，４Ａ，４Ｂの接触部３１Ａ，３１Ｂ，４１Ａ，４１Ｂと接続部３２Ａ，３２Ｂ，４２Ａ，４２Ｂとの間で配置変換（接触部の配置と接続部の配置とを異なるようすること）をして接触部を上下方向へ４列とし、接続部を上下方向へ８列としたので、接続部の配置ピッチを接触部の配置ピッチの２倍にすることができる。その結果、接続部３２Ａ，３２Ｂ，４２Ａ，４２Ｂへのケーブルの半田付作業を容易に行うことができる。
【００７１】
なお、コンタクト３Ａ，３Ｂ，４Ａ，４Ｂの抜止め部としてクランク状部分３３Ａａ，３３Ｂａや突出部分４３Ａａ，４３Ｂａを形成したが、抜止め部はこれらに限らず、例えば、Ｔ字形、十字形等としてもよい。
【００７２】
また、第１ロック部としてフロントハウジング７１にロック部７１４ｂを設け、第２ロック部にリヤハウジング７２に突起７２ｍを設けたが、必ずしも第１、第２ロック部を設ける必要はなく、例えば、ボルト或いは接着剤を用いてフロントハウジング７１とリヤハウジング７２とを結合してもよい。
【００７３】
なお、上述実施形態では、コンタクトとしてクランク状のコンタクト３Ａ，３Ｂとストレート状のコンタクト４Ａ，４Ｂとの２種類のコンタクトを用いたが、例えば、クランク状のコンタクトだけを用いてもよいし、ストレート状のコンタクトだけを用いてもよいし、或いは、３種類以上のコンタクトを用いてもよい。
【００７４】
また、ハウジング７をフロントハウジング７１とリヤハウジング７２とで構成したが、３つ以上のハウジング部材でハウジングを構成してもよい。
【００７５】
なお、この実施形態では、コンタクト３Ａ，３Ｂ，４Ａ，４Ｂの接触部３１Ａ，３１Ｂ，４１Ａ，４１Ｂと接続部３２Ａ，３２Ｂ，４２Ａ，４２Ｂとの間で配置変換をして、接触部を４列とし、接続部を８列としたが、それぞれの列の数は特に限定されず、例えば、接触部を１列、接続部を２列に配置してもよい。また、接触部と接続部との間で配置変換を行わなくてもよい。
【図面の簡単な説明】
【００７６】
【図１】図１はこの発明の一実施形態のコネクタを斜め前方から見た状態を示す斜視図である。
【図２】図２は図１に示すコネクタを斜め後方から見た状態を示す斜視図である。
【図３】図３は図１に示すコネクタの正面図である。
【図４】図４は図３のIV−IV線に沿う断面図である。
【図５】図５は図４のＡ部の拡大図である。
【図６】図６は図３のVI−VI線に沿う断面図である。
【図７】図７は図６のＢ部、Ｂ´部の拡大図である。
【図８】図８は図３のVIII−VIII線に沿う断面図である。
【図９】図９は図８のＣ部の拡大図である。
【図１０】図１０は図１に示すコネクタの第１のコンタクトの斜視図である。
【図１１】図１１は図１に示すコネクタの第２のコンタクトの斜視図である。
【図１２】図１２は図１に示すコネクタの第３のコンタクトの斜視図である。
【図１３】図１３は図１に示すコネクタの第４のコンタクトの斜視図である。
【図１４】図１４は図１に示すコネクタのフロントハウジングの斜視図である。
【図１５】図１５は図１４に示すフロントハウジングの背面図である。
【図１６】図１６は図１に示すコネクタのリヤハウジングの斜視図である。
【図１７】図１７は図１６に示すリヤハウジング正面図である。
【図１８】図１８は図１に示すコネクタを斜め前方から見た状態を示す分解斜視図である。
【図１９】図１９は図１に示すコネクタを斜め後方から見た状態を示す分解斜視図である。
【符号の説明】
【００７７】
１  コネクタ
３ａ，３Ｂ，４Ａ，４Ｂ，  コンタクト
３１Ａ，３１Ｂ，４１Ａ，４１Ｂ  接触部
３２Ａ，３２Ｂ，４２Ａ，４２Ｂ  接続部
３３Ａ，３３Ｂ，４３Ａ，４３Ｂ  連結部
３３Ａａ，３３Ｂａ  クランク状部分（抜止め部）
３３Ａｃ，３３Ｂｃ  突出片（圧入部）
４３Ａａ，４３Ｂａ  突出部分（抜止め部）
４３Ａｃ，４３Ｂｃ  突出片（圧入部）
７  ハウジング
７１  フロントハウジング（第１ハウジング部材）
７１４ｂ  ロック部（第１ロック部）
７２  リヤハウジング（第２ハウジング部材）
７２ｍ  突起（第２ロック部）
【図１】
0004592780.tif 000002
【図２】
0004592780.tif 000003
【図３】
0004592780.tif 000004
【図４】
0004592780.tif 000005
【図５】
0004592780.tif 000006
【図６】
0004592780.tif 000007
【図７】
0004592780.tif 000008
【図８】
0004592780.tif 000009
【図９】
0004592780.tif 000010
【図１０】
0004592780.tif 000011
【図１１】
0004592780.tif 000012
【図１２】
0004592780.tif 000013
【図１３】
0004592780.tif 000014
【図１４】
0004592780.tif 000015
【図１５】
0004592780.tif 000016
【図１６】
0004592780.tif 000017
【図１７】
0004592780.tif 000018
【図１８】
0004592780.tif 000019
【図１９】
0004592780.tif 000020